(57)【要約】【課題】動作モードと動作量を一度の操作で入力できるようにする。【解決手段】接点の移動を検出する移動検出手段と、前記接点の数を検出する接点検出手段と、前記移動検出手段により動作モードを決定し、前記接点検出手段により検出された接点の数により動作量を決定する操作手段とを設け、指を接触させて画面をロールさせたり、ページ送りを行ったりする際に、同様の操作を複数回行わなくても大きな変化量を得ることができるようにする。【選択図】図１
2011138402.tif 000002
【特許請求の範囲】
【請求項１】
接点の移動方向を検出する接点方向検出手段と、
前記接点の数を検出する接点検出手段と、
前記接点方向検出手段により検出された前記接点の移動方向で操作モードを決定し、前記接点検出手段により検出された接点の数により動作量を制御する制御手段とを有することを特徴とする操作入力装置。
【請求項２】
画像を表示する画像表示部と、
前記画像表示部に接触される接点を操作入力として検出する操作入力手段と、
前記操作入力手段により検出された操作入力から接点の移動方向を検出する接点方向検出手段と、
前記操作入力手段により検出された操作入力から接点の数を検出する接点検出手段と、
前記接点方向検出手段により検出された前記接点の移動方向に応じて操作モードを決定し、前記接点検出手段により検出された接点の数に応じて動作量を制御する制御手段とを有することを特徴とする表示装置。
【請求項３】
前記制御手段は、前記接点方向検出手段により検出された前記接点の移動方向で複数の画の送りか戻しを判断し、前記接点検出手段により検出された接点の数に応じて送りの数、または戻しの数を制御することを特徴とする請求項２に記載の表示装置。
【請求項４】
前記制御手段は、前記接点方向検出手段により検出された接点の移動方向で画面スクロールする方向を判断し、接触する点の数によってスクロールする移動距離を制御することを特徴とする請求項２に記載の表示装置。
【請求項５】
前記制御手段は、前記画像表示部と共に前記接点検出手段の角度が変化した場合、前記接点方向検出手段の検出角度も同様に変化させることを特徴とする請求項２に記載の表示装置。
【請求項６】
前記制御手段は、前記画像表示部に対する表示情報の角度が変化した場合、前記表示情報に応じて前記接点方向検出手段の検出角度も変化させることを特徴とする請求項２に記載の表示装置。
【請求項７】
前記制御手段は、前記接点方向検出手段の検出結果が複数の接点に関する検出結果が同様であった場合にのみ動作量を接点の数により制御することを特徴とする請求項２に記載の表示装置。
【請求項８】
静止画を撮影する撮影装置において、
画像を表示する画像表示部と、
前記画像表示部に接触される接点の数を検出する接点検出手段と、
前記画像表示部に接触される接点の移動方向を検出する接点方向検出手段と、
前記接点方向検出手段により検出された接点の移動方向で静止画記録開始を判断する静止画記録開始手段と、
前記接点方向検出手段により検出された接点の数により静止画連写の数を制御する制御手段とを有することを特徴とする撮影装置。
【請求項９】
前記制御手段は、前記画像表示部と共に前記接点検出手段の角度が変化した場合、前記接点方向検出手段の検出角度も同様に変化させる請求項８に記載の撮影装置。
【請求項１０】
前記制御手段は、前記画像表示部に対する表示情報の角度が変化した場合、前記表示情報に応じて前記接点方向検出手段の検出角度も変化させることを特徴とする請求項８に記載の撮影装置。
【請求項１１】
前記制御手段は、前記接点方向検出手段の検出結果が複数の接点に関する検出結果が同様であった場合にのみ動作量を接点の数により制御することを特徴とする請求項８に記載の撮影装置。
【請求項１２】
動画を表示する画像表示部と、
前記画像表示部に接触される複数の接点の数を検出する接点検出手段と、
前記画像表示部に接触される接点の移動方向を検出する接点方向検出手段と、
前記接点方向検出手段により検出された接点の移動方向で動画再生方向を判断し、接触する点の数にて動画再生スピードを判断する制御手段とを有することを特徴とする動画再生装置。
【請求項１３】
前記制御手段は、前記画像表示部と共に前記接点検出手段の角度が変化した場合、前記接点方向検出手段の検出角度も同様に変化させることを特徴とする請求項１２に記載の動画再生装置。
【請求項１４】
前記制御手段は、前記画像表示部に対する表示情報の角度が変化した場合、前記表示情報に応じて前記接点方向検出手段の検出角度も変化させることを特徴とする請求項１２に記載の動画再生装置。
【請求項１５】
前記制御手段は、前記接点方向検出手段の検出結果が複数の接点に関する検出結果が同様であった場合にのみ動作量を接点の数により制御することを特徴とする請求項１２に記載の動画再生装置。
【請求項１６】
接点の移動方向を検出する接点方向検出工程と、
前記接点の数を検出する接点検出工程と、
前記接点方向検出工程において操作モードを決定し、前記接点検出工程において検出された接点の数により動作量を制御する制御工程とを有することを特徴とする操作入力装置の制御方法。
【請求項１７】
画像を表示する画像表示部と、
前記画像表示部に接触される接点を操作入力として検出する操作入力工程と、
前記操作入力工程において検出された操作入力から接点の移動方向を検出する接点方向検出工程と、
前記操作入力工程において検出された接点の数を検出する接点検出工程と、
前記接点方向検出工程において検出された接点の移動に応じて操作モードを決定し、前記接点検出工程において検出された接点の数に応じて動作量を制御する制御工程とを有することを特徴とする表示装置の制御方法。
【請求項１８】
静止画を撮影する撮影装置の制御方法において、
画像を表示する画像表示部と、
前記画像表示部に接触される接点の数を検出する接点検出工程と、
前記画像表示部に接触される接点の移動方向を検出する接点方向検出工程と、
前記接点方向検出工程において検出された接点の移動方向で静止画記録開始を判断する静止画記録開始工程と、
前記接点方向検出工程において検出された接点の数により静止画連写の数を判断する判断工程とを有することを特徴とする撮影装置の制御方法。
【請求項１９】
動画を画像表示部に表示する画像表示工程と、
前記画像表示部に接触される複数の接点の数を検出する接点検出工程と、
前記画像表示部に接触される接点の移動方向を検出する接点方向検出工程と、
前記接点方向検出工程において検出された接点の移動方向で動画再生方向を判断し、接触する点の数にて動画再生スピードを判断する判断工程とを有することを特徴とする動画再生装置の制御方法。
【発明の詳細な説明】
【技術分野】
【０００１】
本発明は、操作入力装置、表示装置、撮影装置及び動画再生装置に関し、特に、入力信号を処理する装置に関する。
【背景技術】
【０００２】
従来、入力信号を処理する装置として、ビデオカメラや電子ブック、カーナビゲーション等が知られている。現在、これらの情報機器においては小型化が進んでおり、ディスプレーと操作部とが一体となったタッチパネルの採用が進んでいる。これらタッチパネルにおいて複数の接点を同時に検出できるものがある（特許文献１、特許文献２）。また、映像情報を表示する表示装置に指を接触させ、指の移動履歴にて画面スクロールやページ送り、拡大縮小を行えるものがある（特許文献３）。
【先行技術文献】
【特許文献】
【０００３】
【特許文献１】特開平６−１６１６６１号公報
【特許文献２】特開平７−２３０３５２号公報
【特許文献３】特開２００８−０２７４５３
【発明の概要】
【発明が解決しようとする課題】
【０００４】
しかしながら、従来のような操作入力の仕方では、接触する指の移動量がそのまま画面するロール量やページ送り量となり、多く変化させたい場合にはユーザーが同様の操作を複数回行わなければならない問題点があった。
本発明は前述の問題点に鑑み、動作モードと動作量を一度の操作で入力できるようにすることを目的とする。
【課題を解決するための手段】
【０００５】
本発明の操作入力装置は、接点の移動を検出する移動検出手段と、前記接点の数を検出する接点検出手段と、前記移動検出手段により動作モードを決定し、前記接点検出手段により検出された接点の数により動作量を決定する操作手段とを有することを特徴とする。
【発明の効果】
【０００６】
本発明によれば、動作モードと動作量を一度の操作で入力することが可能となり、同様の操作を複数回行わなくて済ませることができる。
【図面の簡単な説明】
【０００７】
【図１】実施形態における装置の構成例を説明するブロック図である。
【図２】実施形態における制御手順を説明するフローチャートである。
【図３】第２の実施形態における制御手順を説明するフローチャートである。
【図４】第３の実施形態における制御手順を説明するフローチャートである。
【図５】第４の実施形態における制御手順を説明するフローチャートである。
【図６】実施形態における表示例を説明する図である。
【図７】実施形態における操作例を説明する図である。
【図８】実施形態における第２の操作例を説明する図である。
【図９】実施形態における表示部回転例を説明する図である。
【図１０】実施形態における第２の表示部回転例を説明する図である。
【図１１】実施形態における第３の操作例を説明する図である。
【図１２】実施形態における第４の操作例を説明する図である。
【発明を実施するための形態】
【０００８】
以下、図面を参照して本発明の実施形態を詳細に説明する。
（第１の実施形態）
まず、本実施形態の表示装置について、図１（ａ）、図２、図６〜図１２を用いて説明する。本実施形態の表示装置は、複数の画を表示する表示手段を有する。また、表示手段に接触される複数の接点の数を検出する接点検出手段と、接点の移動を検出する移動検出手段を用いて、移動する方向によりページ送りか画面スクロールかを判断し、接触する点の数にて動作の量を判断する。
【０００９】
図１（ａ）は、本実施形態における表示装置１００の構成例を説明するブロック図である。
図１（ａ）において、１０１は、画像表示部に接触した指の動作を検出する操作入力部である。１０２は、操作入力部１０１の情報から接点の数を検出する接点検出部である。１０３は、接点検出部１０２の情報から動作量を判定する動作量判定部である。１０４は、操作入力部１０１の情報から接点の移動方向を検出する接点方向検出部である。
【００１０】
１０５は、接点方向検出部１０４から出力される情報から接点の移動軌跡を検出し、動作モードを判定する操作モード判定部である。１０６は、動作量判定部１０３と操作モード判定部１０５の情報から、後述する画像表示部に表示する画像を生成する表示画像生成部である。１０７は、表示画像生成部１０６が生成する画像の元情報を保存している表示画像記録部である。１０８は、ユーザーに画像を見せるための画像表示部である。１１０は制御部であり、ＣＰＵ、ＲＡＭ及びＲＯＭなどから成るコンピュータシステムにより構成されている。本実施形態においては、動作量判定部１０３及び操作モード判定部１０５は、制御部１１０により構成されている。
【００１１】
図２は、実施形態の制御手順を説明するフローチャートである。図６、図７、図８は、実施形態における表示例を示す図である。図６は、画像表示部１０８に６つのサムネイル画像を表示した場合の表示例を示す図であり、図６の５００は、画像表示部１０８である。５０１は１つのサムネイル画像である。５０２は、画像表示部１０８に表示しているサムネイル画のページ数であり、図６では全部で２５ページあるうちの１０ページ目を表示している。
【００１２】
図７は、接点が１点の場合のページ送り方法例を表した図であり、図７（ａ）はページ送り前の状態で、図７（ｂ）はページ送り後の状態を表している。図７（ａ）において、５０３は指である。５０４はページを送る際の指の移動方向である。５０５はページ送り動作を行った後の指の移動軌跡である。
【００１３】
図８は、接点が２点の場合のページ送り方法例を表した図であり、（ａ）はページ送り前の状態で、（ｂ）はページ送り後の状態を表している。図８（ａ）の５０６は指２本である。
【００１４】
図９は、画像表示部１０８が９０°回転した場合の操作方法を表す図であり、図９（ａ）は回転前の画像表示部１０８、図９（ｂ）は９０°回転後の画像表示部１０８である。５０７は回転前のページ送りの際の指の移動方向である。５０８は画像表示部１０８の回転後のページ送りの際の指の移動方向である。
【００１５】
図１０は、（ａ）から（ｂ）へ回転軸５０９に対して画像表示部１０８を反転させた場合、画像表示部１０８の表示情報も反転する。その反転した表示情報に合わせて接点方向検出部１０４の検出方向も表示情報と同様の反転方向に反転させ、操作モード判定部１０５へと情報を伝達する。
【００１６】
図１１は、接点が１点の場合の地図画面表示をスクロールさせる方法例を表した図であり、（ａ）はスクロール前の状態で、（ｂ）はスクロール後の状態を表している。
図１２は、接点が２点の場合の地図画面表示をスクロールさせる方法例を表した図であり、（ａ）はスクロール前の状態で、（ｂ）はスクロール後の状態を表している。
【００１７】
以下、図１（ａ）及び図２のフローチャートを中心に説明する。
図６の表示例に示すような画面を、画像表示部１０８に表示している状態において、ユーザーが画像表示部１０８上に表示されている操作入力部１０１に指を接触、及び移動させると処理が開始される。まず、Ｓ１０１において、接点検出部１０２で操作入力部１０１に接触する接点数を検出し、接点方向検出部１０４で指の移動軌跡を検出する。
【００１８】
次に、Ｓ１０２において、表示装置１００が画像を表示しているか否かを表示画像生成部１０６からの情報を元に操作モード判定部１０５が判断する。この判断の結果、画像を表示していない場合には処理を終了する。また、画像を表示していた場合、接点方向検出部１０４からの情報を操作モード判定部１０５で受け取り、Ｓ１０３に進む。
【００１９】
Ｓ１０３においては、接点の移動方向が画面のスクロール操作であるか否かを判断する。この判断の結果、スクロール操作であると判断した場合、Ｓ１０４に進む。Ｓ１０４においては、接点数は１点か否かを判断する。この判断の結果、１点である場合にはＳ１０５に進み、接点検出部１０２の情報を元に動作量判定部１０３にてスクロール量（移動距離）を決定する。例えば、図１１のように１つの指で地図情報のオーストラリアを押下し、そのまま下方向に指を動かしていった場合、スクロール量は１倍と決定する。
【００２０】
一方、Ｓ１０４の判断の結果、１点でなかった場合にはＳ１０６に進む。Ｓ１０６においては、指の移動分と接点数を掛けた分のスクロールを行う。具体的には、図１２のように２つの指で地図情報のオーストラリアを押下し、そのまま下方向に指を動かしていった場合、スクロール量は２倍と決定する。
【００２１】
一方、Ｓ１０３の判断において、接点の移動方向がスクロール操作でない場合、Ｓ１０７に進み、接点の移動方向は画面ページ移動か否かを判定する。この判定の結果、ページ移動操作でない場合には処理を終了する。また、画面ページ移動操作である場合、Ｓ１０８に進み、接点数は１点か否かを判断する。この判断の結果、１点である場合にはＳ１０９に進み、１ページ移動させる。
【００２２】
例えば、図７（ａ）のように、１０ページ目において１つの指で画面右から左へ指を移動させた場合、ページ移動量は１枚と決定し、１１ページ目に移動する処理を実行する。この結果、画面表示は図７（ｂ）に示すように、１１ページ目になる。
【００２３】
また、Ｓ１０８の判断の結果、１点でなかった場合にはＳ１１０に進み、接点の数だけページを移動させる。例えば、図８（ａ）のように、１０ページ目において２つの指で画面右から左へ指を移動させた場合、ページ移動量は２枚と決定し、１２ページ目へ移動する処理を実行する。この結果、画面表示は図８（ｂ）に示すように、１２ページ目になる。
【００２４】
また、図９（ａ）から図９（ｂ）へと、画像表示部１０８を９０度回転させた場合、画像表示部１０８と共に接点検出部１０２の検出角度も変化する。このような場合、接点方向検出部１０４の検出方向も画像表示部１０８と同様の回転方向に回転させるようにする接点方向判別を行い、操作モード判定部１０５へと情報を伝達する。
【００２５】
（第２の実施形態）
次に、図１（ａ）、図３のフローチャートを用いて、操作入力装置について説明する。本実施形態の操作入力装置は、複数の画を表示する表示手段を有している。また、表示手段に接触される複数の接点の数を検出する接点検出手段と、接点の移動を検出し移動する方向により画面スクロールかであるか否かを判断する移動検出手段を用いている。そして、複数の接点に関する移動検出手段の検出結果が同様であった場合にのみ動作量を接点の数により判断する。
【００２６】
図１（ａ）は、実施形態の操作装置の構成例を説明するブロック図である。図３は、第２の実施形態の制御フローチャートである。以下、図３のフローチャートを中心に説明する。
処理が開始されると、まず、Ｓ２０１において、ユーザーが画像表示部１０８上に存在する操作入力部１０１に指で移動させた場合、操作入力部１０１に対する指の接点数と移動方向を検出し、その後、Ｓ２０２に進む。
【００２７】
Ｓ２０２においては、画像表示部１０８がスクロール可能な画像を表示しているか否かを判別する。この判別の結果、表示されていない場合には処理を終了する。また、表示されていた場合にはＳ２０３に進み、接点検出部１０２で操作入力部１０１に接触する接点数を検出し、その接点数が１点か否かを判断する。この判断の結果、１点の場合にはＳ２０４に進み、１点でない場合にはＳ２０６に進む。
【００２８】
Ｓ２０４においては、操作された動作が画面スクロールか否かを判断する。この判断の結果、スクロール動作でない場合には処理を終了する。また、スクロール動作であれば、Ｓ２０５に進み、第１の実施形態の通り、１倍のスクロール動作を行う。
【００２９】
一方、Ｓ２０３の判断の結果、複数点での操作であることによりＳ２０６に進んだ場合、その複数の接点が同一方向に移動しているか否かを接点方向検出部１０４にて判断する。この判断の結果、同一でなかった場合にはＳ２０４へ遷移し、１倍スクロール動作判定へと進む。
【００３０】
また、Ｓ２０６の判断の結果、同一であった場合にはＳ２０７に進み、接点の移動方向は画面スクロールか否かを判断する。この判断の結果、画面スクロールでなかった場合には処理を終了する。また、画面スクロールであった場合には操作されたモードは１つで動作量Ｇが複数倍あると判断してＳ２０８に進む。Ｓ２０８においては、接点数の倍率でスクロール処理を行う。具体的には、指の移動分と接点数の数を掛けた分のスクロール処理を行う。
【００３１】
（第３の実施形態）
次に、図１（ｂ）、図４を用いて、静止画記録を開始する静止画記録開始手段と、静止画記録開始手段の接点の数を検出する接点検出手段を有し、接点の数により静止画連写の数を判断することを特徴とする静止画撮影装置２００について説明する。
【００３２】
図１（ｂ）は、本発明の第３の実施形態の装置構成を説明するブロック図である。図１（ｂ）において２０１は、光信号を電気信号に変換するレンズユニットである。２０２は、レンズユニット２０１から出力される電気信号を静止画信号に変換する画像処理部である。２０３は、操作モード判定部１０５と動作量判定部１０３の情報を元に画像処理部２０２の信号を取り込む静止画撮影部である。２０４は、静止画撮影部２０３の信号を記録する静止画記録部である。２０５は静止画撮影の際の撮影画像を表示する静止画表示部である。
図４は、第３の実施形態の制御フローチャートを示している。
【００３３】
以下、図１（ｂ）及び図４のフローチャートを参照しながら説明する。
処理が開始されると、Ｓ３０１において、ユーザーが静止画表示部２０５上に存在する操作入力部１０１に指で移動させた場合、指の接点数と移動方向を検出する。次に、Ｓ３０２において、静止画撮影装置２００が撮影可能な状態か否かを判断する。この判断の結果、撮影可能でない場合には処理を終了する。また、操作可能であれば、Ｓ３０３に進む。
【００３４】
Ｓ３０３においては、操作された動作が静止画撮影開始の操作か否か判断する。この判断の結果、静止画撮影開始の操作でなかった場合には処理を終了する。また、静止画撮影開始の操作であった場合にはＳ３０４に進み、接点数を検出して指の接点数が１点であるか否かを判断する。この判断の結果、指の接点数が１点である場合にはＳ３０５に進み、そうでない場合にはＳ３０６に進む。
【００３５】
Ｓ３０５においては、レンズユニット２０１から撮影画像情報を取得し、画像処理部２０２にて静止画撮影信号に変換する。そして、静止画撮影部２０３が画像処理部２０２の信号を１画像取得し、静止画記録部２０４にデータを送る。
【００３６】
一方、Ｓ３０４の判断の結果、接点数の情報が複数の場合はＳ３０６において、静止画撮影部２０３が画像処理部２０２からのデータをその接点数分だけ取得し（静止画を連写）、静止画記録部２０４にデータを送る。
【００３７】
（第４の実施形態）
次に、図１（ｃ）、図５を用いて、本発明の第４の実施形態を説明する。
本実施形態においては、動画を表示する表示手段を有し、表示手段に接触される複数の接点の数を検出する接点検出手段と、接点の移動を検出する移動検出手段を用いて、移動する方向により動画再生方向を判断する。そして、接触する点の数にて動画再生スピードを判断する動画再生装置について説明する。
【００３８】
図１（ｃ）は、第４の実施形態の動画再生装置３００の構成例を示すブロック図である。図１（ｃ）において３０１は、操作モード判定部１０５と動作量判定部１０３の情報を元に動画の再生状態を決定する動画再生部である。３０２は、動画再生部３０１の動画データを保存している動画記録部である。３０３は、動画再生を表示する動画表示部である。
【００３９】
図５は、第４の実施形態の制御手順を説明するフローチャートである。
以下、図１（ｃ）及び図５のフローチャートを中心に説明する。
処理が開始されると、Ｓ４０１において、ユーザーが動画表示部３０３上に存在する操作入力部１０１に指で移動させた場合、指の接点数と移動方向を検出する。
【００４０】
次に、Ｓ４０２において、動画再生装置３００が動画再生可能な状態か否かを判断する。この判断の結果、動画再生が可能でない場合には処理を終了する。また、動画再生が可能であれば、Ｓ４０３に進み、操作された動作が動画再生動作か否かを判断する。この判断の結果、動画再生動作でなかった場合には処理を終了する。また、動画再生動作であった場合にはＳ４０４に進む。Ｓ４０４においては、接点数を検出して、その接点数の情報から、接点数が１点か否かを判断する。
【００４１】
Ｓ４０４の判断の結果、接点数が１点の場合にはＳ４０５に進み、動画再生部３０１が、動画記録部３０２から動画情報を取得し、動画表示部３０３へ１倍の速さで転送処理を行い、再生動作を行う。また、Ｓ４０４の判断の結果、接点数が複数の場合にはＳ４０６に進む。Ｓ４０６においては、動画再生部３０１が、動画記録部３０２から動画情報を指の接点数分の速度でデータを取得し、動画表示部３０３へ指の接点数分の速さで転送処理を行い、再生動作を行う。
【００４２】
前述した実施形態においては、動作量判定部１０３及び操作モード判定部１０５を制御部１１０により構成して例を示した。しかし、他の構成要件、例えば、接点検出部１０２、接点方向検出部１０４、表示画像生成部１０６なども制御部１１０により構成するようにしてもよい。
【００４３】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４４】
１０１ 操作入力部、１０２ 接点検出部、１０３ 動作量判定部、１０４ 接点方向検出部、１０５ 操作モード判定部、１０６ 表示画像生成部、１０７ 表示画像記録部、１０８ 画像表示部、２０１ レンズユニット、２０２ 画像処理部、２０３ 静止画撮影部、２０４ 静止画記録部、２０５ 静止画表示部、３０１ 動画再生部、３０２ 動画記録部、３０３ 動画表示部
【図１】
2011138402.tif 000003
【図２】
2011138402.tif 000004
【図３】
2011138402.tif 000005
【図４】
2011138402.tif 000006
【図５】
2011138402.tif 000007
【図６】
2011138402.tif 000008
【図７】
2011138402.tif 000009
【図８】
2011138402.tif 000010
【図９】
2011138402.tif 000011
【図１０】
2011138402.tif 000012
【図１１】
2011138402.tif 000013
【図１２】
2011138402.tif 000014